(57)【要約】【課題】本発明は誘導灯装置に関し、電池容量を有効に利用できる誘導灯装置を得ることを目的とする。【解決手段】本発明に係る誘導灯装置は、光源と、該光源を点滅させる点滅回路と、該点滅回路に動作電源を供給する電池と、該電池から、避難を促す音声を発する音声出力部への電源供給の有無を判別し、該音声出力部への電源供給が無い場合に、該音声出力部への電源供給がある場合よりも、該光源を長く点滅させる制御部と、を備える。【選択図】図９
2020187911.tif 000002
【特許請求の範囲】
【請求項１】
光源と、
前記光源を点滅させる点滅回路と、
前記点滅回路に動作電源を供給する電池と、
前記電池から、避難を促す音声を発する音声出力部への電源供給の有無を判別し、前記音声出力部への電源供給が無い場合に、前記音声出力部への電源供給がある場合よりも、前記光源を長く点滅させる制御部と、
を備えることを特徴とする誘導灯装置。
【請求項２】
前記電池から前記音声出力部への電源供給が無い場合、前記点滅回路は、前記電池の電圧が、前記点滅回路への動作電源の供給が可能な下限電圧となるまで前記光源の点滅を継続することを特徴とする請求項１に記載の誘導灯装置。
【請求項３】
前記電池から電源を供給され前記音声出力部の動作電源を生成する電源回路と、
前記電源回路から前記音声出力部に電力を供給する第１配線に流れる電流を検出する出力電流検出部と、
を備え、
前記制御部は、前記出力電流検出部の検出電流が予め定められた値よりも大きい場合に、前記電池から前記音声出力部への電源供給があると判別することを特徴とする請求項１または２に記載の誘導灯装置。
【請求項４】
前記出力電流検出部は、前記第１配線に設けられた第１検出抵抗であることを特徴とする請求項３に記載の誘導灯装置。
【請求項５】
前記電池の放電電流を検出する入力電流検出部を備え、
前記制御部は、前記入力電流検出部の検出電流が予め定められた値よりも大きい場合に、前記電池から前記音声出力部への電源供給があると判別することを特徴とする請求項１から４の何れか１項に記載の誘導灯装置。
【請求項６】
前記入力電流検出部は、前記電池の出力端子に接続された第２検出抵抗であることを特徴とする請求項５に記載の誘導灯装置。
【請求項７】
前記制御部は、前記電池と前記点滅回路とを接続する第２配線の電流波形または電圧波形から、前記電池から前記音声出力部への電源供給の有無を判別することを特徴とする請求項１から６の何れか１項に記載の誘導灯装置。
【請求項８】
前記制御部は、前記電池から前記音声出力部への電源供給がある場合、火災を報知する火災信号に応じて前記点滅回路と前記音声出力部を動作させ、前記点滅回路による前記光源の点滅よりも前記音声出力部による前記音声の出力を長く継続させることを特徴とする請求項１から７の何れか１項に記載の誘導灯装置。
【請求項９】
前記制御部は、前記電池から前記音声出力部への電源供給がある場合、前記電池の電圧を検出し、前記電池の電圧に応じて、前記光源の点滅の延長時間を算出することを特徴とする請求項８に記載の誘導灯装置。
【請求項１０】
前記音声出力部は、前記電池から前記音声出力部への電源供給がある場合、前記電池の電圧が前記音声出力部への動作電源の供給が可能な下限電圧となるまで、前記音声の出力を継続することを特徴とする請求項８または９に記載の誘導灯装置。
【発明の詳細な説明】
【技術分野】
【０００１】
本発明は、誘導灯装置に関する。
【背景技術】
【０００２】
特許文献１には、蓄電池と、蓄電池にスイッチを介して接続されるキセノン点滅部と、キセノン点滅部と並列に接続される音声出力部と、制御部とを備えた避難誘導装置が開示されている。制御部は、火災報知設備からの火報信号を受信した非常時に、スイッチをオンしてキセノン点滅部と音声出力部とを蓄電池に接続させる。火報信号の受信直後は、制御部がキセノン点滅部と音声出力部とを蓄電池を電源として動作させる。制御部は、所定時間後にキセノン点滅部の動作を停止させて音声出力部のみを動作継続させる。これにより、非常時における音声出力部の必要動作時間が確保できる。
【先行技術文献】
【特許文献】
【０００３】
【特許文献１】特開平１０−２４１４５７号公報
【発明の概要】
【発明が解決しようとする課題】
【０００４】
点滅装置と音声出力部とが電池を共用する誘導灯装置において、音声出力部を接続しない場合を考える。この場合、特許文献１のように所定時間後に点滅装置の動作を停止させると、電池容量を温存することになる。即ち、点滅装置だけであれば、まだ動作を継続できるのにもかかわらず、動作が止まってしまう。これは、避難誘導システムにおいて、できるだけ点滅動作を継続する方が良いと言う発想に反するものである。
【０００５】
本発明は、上述の課題を解決するためになされたもので、電池容量を有効に利用できる誘導灯装置を得ることを目的とする。
【課題を解決するための手段】
【０００６】
本発明に係る誘導灯装置は、光源と、該光源を点滅させる点滅回路と、該点滅回路に動作電源を供給する電池と、該電池から、避難を促す音声を発する音声出力部への電源供給の有無を判別し、該音声出力部への電源供給が無い場合に、該音声出力部への電源供給がある場合よりも、該光源を長く点滅させる制御部と、を備える。
【発明の効果】
【０００７】
本発明に係る誘導灯装置では、制御部は電池から音声出力部の電源供給の有無を判別し、音声出力部の接続が無い場合に、音声出力部の接続がある場合よりも、光源を長く点滅させる。従って、電池容量を有効に利用できる。
【図面の簡単な説明】
【０００８】
【図１】実施の形態１に係る誘導灯装置の斜視図である。
【図２】実施の形態１の変形例に係る誘導灯装置の斜視図である。
【図３】誘導灯装置の分解斜視図である。
【図４】誘導灯装置の回路ブロック図である。
【図５】音声出力部の接続の有無の検出方法を説明する図である。
【図６】出力電流検出部と入力電流検出部を説明する図である。
【図７】誘導灯装置の電流波形および電圧波形を示す図である。
【図８】誘導灯装置の機種を説明する図である。
【図９】機種Ｄの誘導灯装置の動作を示すタイムチャートである。
【図１０】機種Ｃの誘導灯装置の動作を示すタイムチャートである。
【図１１】機種Ｂの誘導灯装置の動作を示すタイムチャートである。
【図１２】機種Ａの誘導灯装置の動作を示すタイムチャートである。
【図１３】比較例に係る誘導灯装置の動作を示すタイムチャートである。
【発明を実施するための形態】
【０００９】
本発明の実施の形態に係る誘導灯装置について図面を参照して説明する。同じ又は対応する構成要素には同じ符号を付し、説明の繰り返しを省略する場合がある。
【００１０】
実施の形態１．
図１は、実施の形態１に係る誘導灯装置１１０の斜視図である。誘導灯装置１１０は、異常時に点滅する第２光源４を有する。以下で異常時は、誘導灯装置１２０が火災を報知する火災信号を受信した状態を示す。これに対し、通常時は火災信号を受信していない状態を示す。
【００１１】
誘導灯装置１２０は、本体１、表示パネル２、第２光源用カバー３、第２光源４、本体カバー７を備える。本体カバー７は本体１を覆う。また、本体カバー７には、表示パネル２を露出させる開口が設けられる。表示パネル２には誘導表示が設けられる。表示パネル２は避難口の位置または避難方向を示す。
【００１２】
本体１の下面には第２光源４が設けられる。第２光源４は、第２光源用カバー３に覆われる。第２光源４は例えば短時間に大光量を発生するランプである。第２光源４は、例えばＬＥＤから構成されるモジュールである。第２光源４はキセノンランプであっても良い。
【００１３】
図２は、実施の形態１とは別の誘導灯装置１２０の斜視図である。図３は、誘導灯装置１２０の分解斜視図である。誘導灯装置１２０は、異常時に避難を促す音声を発するスピーカ８を備える点が誘導灯装置１１０と異なる。誘導灯装置１２０は、音声付加点滅型誘導灯である。誘導灯装置１２０において、本体カバー７には、スピーカ８と対向する位置にスピーカ用穴７ａが設けられる。
【００１４】
本体１には、点灯回路１１ａ、電池１３ａ、スピーカ８、電池１３ｂ、共有回路１１ｂ、点滅回路１４および音声回路１５が収納されている。表示パネル２の上方には、第１光源１２が設けられる。第１光源１２は、常用時および非常時に表示パネル２を照らす。ここで、常用時は商用電源１０からの電力供給がある状態を示す。また、非常時は商用電源１０からの電力供給がない停電状態を示す。
【００１５】
誘導灯装置１１０の構造は、音声回路１５およびスピーカ８を備えない点が誘導灯装置１２０と異なる。その他の回路構成は、誘導灯装置１２０と同じである。誘導灯装置１１０、１２０では、同一の制御部１１２ｂが用いられる。また、誘導灯装置１１０は、音声出力部２５を備えない為、誘導灯装置１２０よりも小型である。
【００１６】
図４は、誘導灯装置１２０の回路ブロック図である。点灯回路１１ａは、充電回路１１１ａおよび制御部１１２ａを有する。また、点灯回路１１ａには商用電源１０および電池１３ａが接続される。商用電源１０は例えば交流電源である。充電回路１１１ａは、常用時は商用電源１０から電力を供給され電池１３ａを充電する。第１光源１２は、常用時には充電回路１１１ａを介して商用電源１０から電力を供給され点灯する。また、第１光源１２は、非常時には電池１３ａから電力を供給され点灯する。
【００１７】
制御部１１２ａは充電回路１１１ａを制御する。制御部１１２ａは、例えばマイコンを含む。制御部１１２ａは、常用時は商用電源１０から電力を供給され動作する。また、制御部１１２ａは、非常時には電池１３ａから電力を供給され動作する。
【００１８】
共有回路１１ｂは、充電回路１１１ｂ、制御部１１２ｂおよび昇圧回路１１４ｂを有する。また、共有回路１１ｂには商用電源１０、電池１３ｂおよび火災報知部２００が接続される。充電回路１１１ｂは、常用時に商用電源１０から電力を供給され電池１３ｂを充電する。電池１３ｂは例えば蓄電池である。
【００１９】
また、共有回路１１ｂには、点滅回路１４、音声回路１５および煙感電源回路１６が接続される。点滅回路１４は第２光源４を点滅させる。音声回路１５はスピーカ８と接続される。音声回路１５はスピーカ８から避難を促す音声を出力させる。この音声は誘導音とも呼ばれる。音声回路１５とスピーカ８は音声出力部２５を構成する。煙感電源回路１６は煙感知器６に接続される。煙感電源回路１６は煙感知器６を動作させる。煙感電源回路１６は煙感知器６からの検出信号を制御部１１２ｂに送信しても良い。
【００２０】
電池１３ｂは、異常時に点滅回路１４に動作電源を供給する。点滅回路１４は電池１３ｂの電圧を、内部に有する昇圧回路１４ｂで昇圧する。これにより点滅回路１４は、第２光源４を点滅させるための電圧を生成する。
【００２１】
昇圧回路１１４ｂは、異常時に電池１３ｂから電力を供給され、音声回路１５および煙感電源回路１６の動作電源を生成する電源回路である。昇圧回路１１４ｂは電池１３ｂの電圧を例えば２４Ｖまで昇圧する。音声出力部２５は、昇圧回路１１４ｂから電力の供給を受け、避難を促す音声を発する。煙感電源回路１６は、電源回路１１０ｂから電力の供給を受け動作する。このように、点滅回路１４、音声回路１５および煙感電源回路１６は、異常時には電池１３ｂから共有回路１１ｂを介して電力を供給される。
【００２２】
制御部１１２ｂは、充電回路１１１ｂ、昇圧回路１１４ｂ、点滅回路１４、昇圧回路１４ｂ、音声回路１５および煙感電源回路１６を制御する。制御部１１２ｂは例えばマイコンを含む。制御部１１２ｂは、常用時は商用電源１０から充電回路１１１ｂを介して電力を供給され動作する。また、制御部１１２ｂは、非常時には電池１３ｂから電力を供給され動作する。
【００２３】
制御部１１２ｂは、充電回路１１１ｂを制御して電池１３ｂを充電する。また、制御部１１２ｂは、昇圧回路１１４ｂが有するスイッチング素子のオンオフを制御して、昇圧回路１１４ｂの出力電圧を制御する。また、制御部１１２ｂは、昇圧回路１４ｂが有するスイッチング素子のオンオフを制御して、昇圧回路１４ｂの出力電圧を制御する。ここまでは、昇圧回路１１４ｂが音声回路１５および煙感電源回路１６に共通の回路であることを想定している。これに限らず、昇圧回路１１４ｂを共通とせず、音声回路１５および煙感電源回路１６の各々で昇圧回路を持つ構成でも構わない。
【００２４】
制御部１１２ｂには、火災報知部２００が接続される。火災報知部２００は、火災検出部２０１、火災報知設備２０２および誘導灯用信号装置２０３を有する。火災検出部２０１は火災を検出する。誘導灯用信号装置２０３は、火災報知設備２０２を介して、火災検出部２０１から火災の検出信号を受信する。誘導灯用信号装置２０３は、検出信号に応じて制御部１１２ｂに火災を報知する火災信号を送信する。
【００２５】
制御部１１２ｂは火災信号を受信すると、共有回路１１ｂおよび制御部１１２ｂの電源を商用電源１０から電池１３ｂに切り替える。また、制御部１１２ｂは、火災信号に応じて点滅回路１４と音声回路１５を動作させる。
【００２６】
このように、誘導灯装置１２０は、通常時は商用電源１０から電力の供給を受け動作し、異常時は電池１３ａ、１３ｂから電力の供給を受け動作する。点滅回路１４と音声回路１５とで電池１３ｂを共用することで、誘導灯装置１２０の部品点数を削減できる。また、点滅回路１４と音声回路１５とで共有回路１１ｂを共用することで、さらに誘導灯装置１２０の部品点数を削減できる。
【００２７】
また、誘導灯装置１１０のように音声出力部２５は設けられない場合がある。制御部１１２ｂは、音声出力部２５の共有回路１１ｂへの接続の有無を判別する。制御部１１２ｂは、判別結果に応じて第２光源４の点滅の継続時間を変更する。
【００２８】
図５は、音声出力部２５の接続の有無の検出方法を説明する図である。誘導灯装置１２０は出力電流検出部１１５ｂおよび入力電流検出部１１３ｂを備える。図６は、出力電流検出部１１５ｂと入力電流検出部１１３ｂを説明する図である。出力電流検出部１１５ｂは、昇圧回路１１４ｂから音声出力部２５に電力を供給する第１配線１１５ａに設けられた第１検出抵抗Ｒ１である。また、入力電流検出部１１３ｂは、電池１３ｂの出力端子に接続された第２検出抵抗Ｒ２である。第２検出抵抗Ｒ２は、電池１３ｂと点滅回路１４とを接続する第２配線１１３ａに設けられる。
【００２９】
図７は、誘導灯装置１１０、１２０の電流波形および電圧波形を示す図である。出力電流検出部１１５ｂは、第１配線１１５ａに流れる電流を、第１検出抵抗Ｒ１に印加される電圧に変換して検出する。音声出力部２５の接続が無い場合、第１検出抵抗Ｒ１による検出電流Ｉｓはゼロである。また、音声出力部２５の接続がある場合、昇圧回路１１４ｂから音声出力部２５に供給される電流は検出電流Ｉｓとして検出される。このため、制御部１１２ｂは、出力電流検出部１１５ｂの検出電流Ｉｓがゼロよりも大きい場合に、音声出力部２５の接続があると判別できる。このように、制御部１１２ｂは、検出電流Ｉｓによって、電池１３ｂから音声出力部２５への電源供給の有無を判別できる。
【００３０】
ここで、誘導灯装置１２０に音声出力機能を設けない場合、音声回路１５を備えてスピーカ８を備えなくても良い。このような構成において、音声回路１５を無負荷の状態で動作させると、検出電流Ｉｓはゼロではなくなる。しかし、この場合もスピーカ８は動作させないため、スピーカ８を動作させる場合と比較して検出電流Ｉｓが小さくなる。従って、制御部１１２ｂは、出力電流検出部１１５ｂの検出電流Ｉｓが予め定められた値よりも大きい場合に、電池１３ｂからスピーカ８への電源供給があると判別できる。なお、音声回路１５を備えてスピーカ８を備えない場合において、音声回路１５を全く動作させなくても良い。この場合、消費電力を抑制できる。
【００３１】
出力電流検出部１１５ｂによれば、昇圧回路１１４ｂから音声出力部２５に流れる電流を直接検出するため、音声出力部２５の接続の有無を正確に検出できる。また、点滅回路１４と同様に、昇圧回路１１４ｂを介さずに電池１３ｂから音声出力部２５に直接給電されても良い。この場合も、共有回路１１ｂから音声出力部２５に電力を供給する配線を流れる電流から、音声出力部２５の有無を判別できる。
【００３２】
また、入力電流検出部１１３ｂは、第２配線１１３ａに流れる電流を、第２検出抵抗Ｒ２に印加される電圧Ｖｂａｔに変換して検出する。つまり、入力電流検出部１１３ｂは電池１３ｂの放電電流を検出する。音声出力部２５の接続がある場合は、接続が無い場合よりも電池１３ｂからの放電電流が大きくなる。つまり、第２検出抵抗Ｒ２による検出電流Ｉｂａｔは、音声出力部２５の接続がある場合に、接続が無い場合よりも大きくなる。制御部１１２ｂは、入力電流検出部１１３ｂの検出電流Ｉｂａｔが予め定められた値よりも大きい場合に、電池１３ｂから音声出力部２５への電源供給があると判別する。
【００３３】
また、制御部１１２ｂは、第２配線１１３ａの電流波形または電圧波形から、電池１３ｂから音声出力部２５への電源供給の有無を判別しても良い。図７の枠４１、４２で囲まれた部分に示されるように、音声出力部２５の接続がある場合、第２配線１１３ａの電流波形および電圧波形に歪みまたは飛びが生じる。制御部１１２ｂは、電流波形または電圧波形の歪みまたは飛びの有無から、音声出力部２５の接続の有無を判別しても良い。
【００３４】
制御部１１２ｂは、例えば音声出力時の電流波形または電圧波形と、音声出力が無い場合の電流波形または電圧波形を記憶している。制御部１１２ｂは、第２配線１１３ａの電流波形または電圧波形と、記憶した波形を比較することで、電池１３ｂから音声出力部２５への電源供給の有無を判別できる。
【００３５】
また、出力電流検出部１１５ｂと入力電流検出部１１３ｂの一方のみを設けても良い。また、制御部１１２ｂは、第１配線１１５ａの電流波形または電圧波形から、音声出力部２５への電源供給の有無を判別しても良い。さらに、制御部１１２ｂは、電池電圧の下がり方を検出し、音声出力部２５への電源供給の有無を判別しても良い。電池電圧の下がり方は、例えば時間当たりの電池電圧の変化量である。以上から、制御部１１２ｂは、この器具がスピーカ８を組込んだ機種なのか否かを判別できる。
【００３６】
なお、第２光源４にキセノンランプを用いる場合、一般に点滅回路１４の消費電力が音声回路１５の消費電力と比較して非常に大きくなる。これに対し、第２光源４にＬＥＤを用いる場合、点滅回路１４の消費電力と音声回路１５の消費電力の差異が小さくなる。このため、電池１３ｂから音声出力部２５への電源供給の有無による電流のピーク値または波形の違いを明確に区別できる。従って、精度よく音声出力部２５の接続の有無を判定できる。
【００３７】
図８は、誘導灯装置の機種を説明する図である。誘導灯装置には、一般に音声の有無および動作時間の違いによってＡ〜Ｄの４種類がある。機種Ａは点滅の継続時間が２５分であり、音声の継続時間が７５分である。機種Ｂは点滅の継続時間と音声の継続時間が共に７５分である。機種Ｃは点滅の継続時間が２５分であり、音声の出力がない。機種Ｄは点滅の継続時間が７５分であり、音声の出力がない。機種Ａ、Ｂは音声点滅機種であり、機種Ｃ、Ｄは点滅機種である。
【００３８】
なお、日本照明工業会規格のＪＩＬ５５０２では、誘導灯器具及び避難誘導灯システム用装置技術基準が示されている。この規格によれば、点滅装置の動作時間は２５分間又は７５分間の２種類ある。また、誘導音装置の動作時間は７５分間のみの１種類である。
【００３９】
誘導灯装置１２０は機種ＡまたはＢに対応する。誘導灯装置１２０から音声出力部２５を取り外した機種および誘導灯装置１１０は、機種ＣまたはＤに対応する。
【００４０】
次に、本実施の形態に係る誘導灯装置１１０、１２０の動作を説明する。まず、誘導灯装置１１０の動作の一例として、機種Ｄの動作について説明する。図９は、機種Ｄの誘導灯装置１１０の動作を示すタイムチャートである。図９に示される火災信号は、Ｈｉｇｈが火災信号を受信していない状態、Ｌｏｗが火災信号を受信した状態を示す。また、第２光源は、Ｈｉｇｈが点滅状態、Ｌｏｗが消灯状態を示す。また、音声出力はＨｉｇｈが音声出力をしている発声状態、Ｌｏｗが音声出力をしていない無音状態を示す。
【００４１】
時刻ｔ０よりも前では、充電回路１１１ｂは商用電源１０を受けて電池１３ｂを充電している。また、点滅回路１４は待機状態であり、第２光源４は消灯状態である。火災報知部２００は火災を検出すると、火災信号を制御部１１２ｂに送信する。制御部１１２ｂは、時刻ｔ０において火災信号を受信すると、電池１３ｂから点滅回路１４への電力供給を開始する。これにより、第２光源４は点滅を開始する。点滅に伴い電池電圧は低下する。第２光源４の点滅は、少なくとも予め定められた時間である７５分間継続される。時刻ｔ０から７５分経過した時刻を時刻ｔ２とする。
【００４２】
時刻ｔ０の直後に、制御部１１２ｂは、出力電流検出部１１５ｂまたは入力電流検出部１１３ｂを用いて、電池１３ｂから音声出力部２５への電源供給の有無を判別する。なお、音声出力部２５への電源供給の有無の判別は、時刻ｔ０よりも後で時刻ｔ２以前であれば、いつ実施されても良い。
【００４３】
誘導灯装置１１０では、音声出力部２５への電源供給は無いと判別される。このとき、音声出力部２５に電池１３ｂから電力を供給する必要がない。従って、制御部１１２ｂは可能な限り点滅を継続させる。つまり、点滅回路１４は、電池１３ｂの電圧が放電基準電圧を下回り、動作できなくなるまで第２光源４の点滅を継続する。点滅回路１４は、電池１３ｂの電圧が放電基準電圧の時に、第２光源４は点滅させることが可能な規定値以上の出力電圧が得られるように設計されている。
【００４４】
電池１３ｂの電圧が放電基準電圧を下回ったあと、時刻ｔ５において点滅回路１４が停止する。従って、第２光源４は点滅を終了する。点滅回路１４は、電池１３ｂの電圧が点滅回路１４への動作電源の供給が可能な下限電圧となるまで、第２光源４の点滅を継続しても良い。これにより、時刻ｔ２の後、延長時間ｔβだけ点滅を延長できる。
【００４５】
次に、機種Ｃの動作について説明する。図１０は、機種Ｃの誘導灯装置１１０の動作を示すタイムチャートである。時刻ｔ０までの動作は、機種Ｄと同じである。制御部１１２ｂは、時刻ｔ０において火災信号を受信すると、共有回路１１ｂから点滅回路１４への電力供給を開始する。これにより、第２光源４は点滅を開始する。第２光源４の点滅は、少なくとも予め定められた時間である２５分間継続される。時刻ｔ０から２５分経過した時刻を時刻ｔ１とする。
【００４６】
時刻ｔ０の直後に、制御部１１２ｂは音声出力部２５への電源供給の有無を判別する。なお、音声出力部２５の接続の有無の判別は、時刻ｔ０よりも後で時刻ｔ１以前であれば、いつ実施されても良い。誘導灯装置１１０では、音声出力部２５への電源供給は無いと判別される。従って、制御部１１２ｂは可能な限り点滅を継続させる。点滅回路１４は、電池１３ｂの電圧が放電基準電圧を下回ったあとも、電池１３ｂによる駆動が可能な限り、第２光源４の点滅を継続する。時刻ｔ５において点滅回路１４が停止し、第２光源４は点滅を終了する。
【００４７】
次に、誘導灯装置１２０の動作の一例として、長時間定格の機種Ｂの動作について説明する。図１１は、機種Ｂの誘導灯装置１２０の動作を示すタイムチャートである。時刻ｔ０よりも前では、音声回路１５は待機状態、スピーカ８は動作していない状態、点滅回路１４は待機状態、第２光源４は消灯状態である。
【００４８】
制御部１１２ｂは、時刻ｔ０において火災信号を受信すると、点滅回路１４及び音声回路１５を動作させる。これにより、第２光源４は点滅を開始する。また、音声出力部２５が誘導音の出力を開始する。点滅と音声発生に伴い、電池電圧は低下する。第２光源４の点滅およびスピーカ８の発声は、少なくとも予め定められた時間である７５分間継続される。時刻ｔ０から７５分経過した時刻を時刻ｔ２とする。本実施の形態において時刻ｔ２の時点では、電池１３ｂの電圧は放電基準電圧を上回る。
【００４９】
時刻ｔ０の直後に、制御部１１２ｂは電池１３ｂから音声出力部２５への電源供給の有無を判別する。誘導灯装置１２０では、電池１３ｂから音声出力部２５への電源供給があると判別される。次に、制御部１１２ｂは電池１３ｂの電圧を検出する。制御部１１２ｂは、電池１３ｂの電圧に応じて、時刻ｔ２からの第２光源４の点滅の延長時間ｔαを算出する。点滅動作の延長時間ｔαは、電池１３ｂの電圧によって変わる。なお、電池１３ｂの電圧の検出および延長時間ｔαの算出は、時刻ｔ０よりも後で時刻ｔ２以前であれば、いつ実施されても良い。
【００５０】
制御部１１２ｂは、時刻ｔ２から延長時間ｔαだけ第２光源４の点滅を継続してから、時刻ｔ５において第２光源４の点滅を停止させる。つまり、時刻ｔ５において電池１３ｂから点滅回路１４への電力供給が停止する。
【００５１】
この後も、制御部１１２ｂは音声出力を継続する。電池１３ｂの電圧が放電基準電圧を下回った後、時刻ｔ６において音声出力部２５は音声出力を終了する。音声出力部２５は、電池１３ｂの電圧が、音声出力部２５への動作電源の供給が可能な下限電圧となるまで音声の出力を継続する。
【００５２】
次に、誘導灯装置１２０の動作の別の例として、機種Ａの動作について説明する。図１２は、機種Ａの誘導灯装置１２０の動作を示すタイムチャートである。時刻ｔ０よりも前の状態は、機種Ｂと同様である。
【００５３】
制御部１１２ｂは、時刻ｔ０において火災信号を受信すると、点滅回路１４及び音声回路１５を動作させる。第２光源４の点滅およびスピーカ８の発声は、予め定められた時間である２５分間継続される。時刻ｔ０から２５分経過した時刻を時刻ｔ１とする。
【００５４】
時刻ｔ０の直後に、制御部１１２ｂは電池１３ｂから音声出力部２５への電源供給の有無を判別する。誘導灯装置１２０では、電池１３ｂから音声出力部２５への電源供給があると判別される。次に、制御部１１２ｂは電池１３ｂの電圧を検出する。制御部１１２ｂは、電池１３ｂの電圧に応じて、時刻ｔ１からの第２光源４の点滅の延長時間ｔαを算出する。なお、電池１３ｂの電圧の検出および延長時間ｔαの算出は、時刻ｔ０よりも後で時刻ｔ１以前であれば、いつ実施されても良い。制御部１１２ｂは、時刻ｔ１から延長時間ｔαだけ第２光源４の点滅を継続してから、時刻ｔ５において第２光源４の点滅を停止させる。
【００５５】
この後も、制御部１１２ｂが音声出力を継続する。電池１３ｂの電圧が放電基準電圧を下回った後、時刻ｔ６において、音声出力部２５は音声出力を終了する。なお、時刻ｔ６は、時刻ｔ０から７５分経過した時刻ｔ２よりも後の時刻である。時刻ｔ２では、電池１３ｂの電圧は放電基準電圧を大幅に上回る。
【００５６】
次に、本実施の形態の効果について説明する。本実施の形態の比較例として、点滅および音声の継続時間を２５分または７５分である規定時間と同じ長さに設定した場合、例えば電池が少し劣化してきた場合に、部品バラツキによって規定時間を下回る可能性がある。また、避難誘導システムにおいて、点滅および音声の継続時間は長い方が好ましい。
【００５７】
また、別の比較例として、電池電圧が低下して動作不可能となるまで、点滅と音声発生を継続することが考えられる。図１３は、比較例に係る誘導灯装置の動作を示すタイムチャートである。比較例に係る誘導灯装置は、機種Ｂであるものとする。
【００５８】
比較例に係る誘導灯装置が、時刻ｔ０において火災を報知する火災信号を受信すると、第２光源は点滅発光を開始する。また、スピーカが誘導音を発声する。第２光源の点滅およびスピーカの発声は、予め定められた時間である７５分間継続される。時刻ｔ０から７５分経過した時刻を時刻ｔ２とする。誘導灯装置は、時刻ｔ２までは放電基準電圧以上の電池電圧で動作しなければならない。電池電圧が放電基準電圧を下回った後、時刻ｔ５において誘導灯装置は点滅及び音声発声を終了する。
【００５９】
図１３に示される比較例では、電池電圧が放電基準電圧を下回るまで動作が継続される。ここで、第２光源がキセノンランプである場合、点滅回路の消費電力は例えば９Ｗであり、音声回路の消費電力は例えば３Ｗである。点滅回路の消費電力は音声回路の消費電力の略３倍である。このとき、電池からの電力が点滅回路で多く消費され、例えば電池が少し劣化してきた場合に、動作を継続すべき必要動作時間を確保できない可能性がある。
【００６０】
特に、機種Ａにおいて、点滅の継続時間は確保されても、音声が７５分まで継続できないおそれがある。また、火災時に煙が充満してきた場合、点滅光源は見えにくくなる可能性がある。このため、点滅よりも誘導音による避難口への誘導を優先させることが好ましい場合がある。
【００６１】
これに対し、本実施の形態の制御部１１２ｂは、電池１３ｂから音声出力部２５への電源供給がある場合に、点滅回路１４による第２光源４の点滅よりも音声出力部２５による音声の出力を長く継続させる。これにより、点滅よりも誘導音による避難口への誘導を優先させることができる。
【００６２】
また、制御部１１２ｂは、音声出力部２５の動作を一定時間継続するために、時刻ｔ１またはｔ２における電池１３ｂの電圧から、点滅回路１４と音声回路１５を両方動作させることが可能な時間を算出する。この算出結果に応じて、制御部１１２ｂは、点滅回路１４を音声回路１５に先んじて停止させる。これにより、音声回路１５の一定の動作時間を確実に確保できる。
【００６３】
なお、特に機種Ｂにおいて、第２光源４の点滅およびスピーカ８の発声を並行して実施した場合、電池１３ｂの劣化等によっては、時刻ｔ２まで電池１３ｂの電圧を放電基準電圧以上に維持できないことがある。これに対し、本実施の形態では、制御部１１２ｂは、予め定められた時刻ｔ２よりも前に、音声出力部２５への電源供給の有無の判別と、電池１３ｂの電圧の検出を実施する。これにより、制御部１１２ｂは、電池１３ｂの電圧に応じて、音声出力部２５の動作が時刻ｔ２以上でなるべく長く継続できるように、第２光源４の点滅の延長時間ｔαを算出しても良い。また、制御部１１２ｂは、時刻ｔ０以前を含めて常時、電池電圧を検出していても良い。
【００６４】
また、本実施の形態では、音声回路１５は電池１３ｂの電圧が低下し動作不可能になるまで発声を続ける。このため、音声の発生時間をなるべく長くして誘導効果を高めることができる。
【００６５】
ここで、音声出力部２５が設けられない機種において図１１、１２で示されるような音声出力を優先させる制御が実施されると、電池容量を残したまま時刻ｔ５で点滅が停止する。つまり、電池電圧が放電基準電圧まで下がる前に点滅動作が止まってしまう。従って、電池容量が無駄になる。また、放電が浅い状態が継続すると、電池のメモリ効果によって電池の性能が低下するおそれがある。
【００６６】
これに対し、本実施の形態では、制御部１１２ｂが音声出力部２５の接続の有無を判別する。判別結果に応じて、音声出力部２５の接続が無い機種では、音声出力部２５への電力供給を考慮せずに点滅が継続される。つまり、制御部１１２ｂは、音声出力部２５への電源供給が無い場合に、音声出力部２５への電源供給がある場合よりも、第２光源４を長く点滅させる。このため、図９、１０に示されるように、時刻ｔ１、ｔ２からの点滅の延長時間ｔβを、図１１、１２の延長時間ｔαよりも長くできる。従って、点滅のみの機種であっても、電池容量を有効に利用し、長い動作時間を確保できる。また、電池のメモリ効果を抑制できる。
【００６７】
なお、部品の共通化のために、音声点滅機種および点滅機種において、共有回路１１ｂとして同じものが用いられることが多い。これは、誘導灯装置１１０、１２０は特殊な器具であり、生産数が少ないためである。共有回路１１ｂは一般に、２５分定格のものと７５分定格のものの２種である。このため、音声出力部２５の有無により制御方法を変えるためには、制御部１１２ｂが音声出力部２５の有無を判別することが好ましい。
【００６８】
また、誘導灯装置にスイッチを設け、組立時にスイッチにより、当該誘導灯装置が点滅機種および音声点滅機種の何れの機種であるか設定することが考えられる。しかし、設定を誤ると、非常時に既定の動作が実現できなくなる。
【００６９】
これに対し本実施の形態では、制御部１１２ｂが自動で機種の違いを判別し、制御方法を変える。従って、確実に既定の動作を実現できる。また、組立工程が複雑化することを防止できる。
【００７０】
本実施の形態で説明した技術的特徴は適宜に組み合わせて用いてもよい。
【符号の説明】
【００７１】
１  本体、２  表示パネル、３  第２光源用カバー、４  第２光源、６  煙感知器、７  本体カバー、７ａ  スピーカ用穴、８  スピーカ、１０  商用電源、１１ａ  点灯回路、１１ｂ  共有回路、１２  第１光源、１３ａ  電池、１３ｂ  電池、１４  点滅回路、１５  音声回路、１６  煙感電源回路、２５  音声出力部、１１０  誘導灯装置、１１０ａ  電源回路、１１１ａ  充電回路、１１１ｂ  充電回路、１１２ａ  制御部、１１２ｂ  制御部、１１３ａ  第２配線、１１３ｂ  入力電流検出部、１１４ｂ  昇圧回路、１１５ａ  第１配線、１１５ｂ  出力電流検出部、１２０  誘導灯装置、２００  火災報知部、２０１  火災検出部、２０２  火災報知設備、２０３  誘導灯用信号装置、Ｒ１  第１検出抵抗、Ｒ２  第２検出抵抗
【図１】
2020187911.tif 000003
【図２】
2020187911.tif 000004
【図３】
2020187911.tif 000005
【図４】
2020187911.tif 000006
【図５】
2020187911.tif 000007
【図６】
2020187911.tif 000008
【図７】
2020187911.tif 000009
【図８】
2020187911.tif 000010
【図９】
2020187911.tif 000011
【図１０】
2020187911.tif 000012
【図１１】
2020187911.tif 000013
【図１２】
2020187911.tif 000014
【図１３】
2020187911.tif 000015